(57)【要約】【課題】処分やリサイクルの容易な板紙や段ボール紙等のシート状材料を主材とし、包装作業が容易であるとともに、構成要素が必要最小限であるため、工程が簡単で、安価である包装体を提供する。【解決手段】被包装物４０を載置する底面板１と、底面板１の対向する端部に配設された２枚の端壁板２，２と、底面板１の対向する側部に配設された２枚の側壁板３，３と、底面板１上を覆うように、端壁板２，２間に取付けられた弾性シート３０とを有し、箱７０に収容されて用いられる包装体１０である。端壁板２，２は、底面板１の裏面側に向けて回動可能な構造を有し、端壁板２，２が回動することによって、弾性シート３０に被包装物４０を押圧する張力を与え、被包装物４０を底面板１と弾性シート３０との間に挟持するとともに、端壁板２，２及び／又は側壁板３，３で箱７０の壁との間に介在する形状を与え被包装物４０を箱７０の壁から離した状態で保持する。【選択図】  図１
2004175429.tif 000002
【特許請求の範囲】
【請求項１】
被包装物を載置する底面板と、前記底面板の対向する端部に配設された２枚の端壁板と、前記底面板の対向する側部に配設された２枚の側壁板と、前記底面板上を覆うように、前記端壁板間に取付けられた弾性シートとを有し、箱に収容されて用いられる包装体であって、
前記端壁板が、前記底面板の裏面側に向けて回動可能な構造を有し、前記端壁板が回動することによって、前記弾性シートに前記被包装物を押圧する張力を与え前記被包装物を前記底面板と前記弾性シートとの間に挟持するとともに、前記端壁板及び／又は前記側壁板で前記箱の壁との間に介在する形状を与え前記被包装物を前記箱の壁から離した状態で保持することを特徴とする包装体。
【請求項２】
前記底面板が、前記端壁板と前記側壁板とで包囲されている請求項１に記載の包装体。
【請求項３】
前記底面板、前記端壁板及び前記側壁板が、一枚のシート状材料で形成されてなる請求項１又は２に記載の包装体。
【請求項４】
前記シート状材料が、厚紙、段ボール紙、プラスチックシート、発泡プラスチックシート、気泡ボード及びプラスチック段ボールのうちのいずれか１つである請求項１〜３のいずれか１項に記載の包装体。
【請求項５】
前記弾性シートが、ポリウレタン系熱可塑性エラストマー、ポリアミド、エチレン−酢酸ビニル共重合体、シングルサイト触媒重合ポリオレフィン、ポリブチレンサクシネート及びポリブチレンサクシネート・アジペートのうちのいずれか１つの材質からなる請求項１〜４のうちのいずれか１項に記載の包装体。
【発明の詳細な説明】
【０００１】
【発明の属する技術分野】
本発明は、包装体に関し、更に詳細には、被包装物を箱の壁から離した状態で保持することにより、箱に加わる衝撃から被包装物を保護する包装体に関する。
【０００２】
【従来の技術】
陶器、ガラス製品、電気・電子機器、精密機械部品等、他の衝撃に弱い物品を輸送・保管するための包装には、従来、発泡ポリスチロールを用いて成形した箱や、コーナーパッドを段ボール箱に取り付けたものや、バラ状の緩衝材又はそれを小袋に詰めたものを充填したものが用いられているが、発泡プラスチックは、使用後の処分に問題があった。
【０００３】
このため、包装材の使用量を少なくする努力や廃棄・焼却を容易にする努力が行われている。
その一つの現われとして、いわゆる「ハンモック包装」が提案され、一部実用化されている。
「ハンモック包装」とは、例えば、図８〜９に示すように、板状の枠に弾性シート３０を張った支持体５０，５２で、被包装物４０を上下から挟んで全体を箱６０の中に入れ、被包装物４０を箱６０内の空間に、箱６０の壁から離した状態で保持する包装体である（特許文献１〜４参照）。
尚、箱６０を形成する材料としては、段ボール紙または厚紙が多く使用されている。
【０００４】
【特許文献１】
米国特許第４８５２７４３号明細書
【０００５】
【特許文献２】
米国特許第４９２３０６５号明細書
【０００６】
【特許文献３】
米国特許第５０７１００９号明細書
【０００７】
【特許文献４】
特開平７−３３０３４号公報
【０００８】
このハンモック包装は、被包装物を支えているのが弾性材料のシートであるから、包装の対象は比較的小型の物品や軽量の物に限られるが、それでもしばしば、輸送中に被包装物が外箱の底壁に底着きして破損するなどの問題が生じる。
その対策としては、まず弾性シートの強度を高くすることが考えられるが、被包装物を箱に収納する場合、弾性シートの弾性により、反発力がより大きくなるため、被包装物が収納し難くなったり、上下一対の枠の一方、特に下側の枠が潰れてしまうといった問題点があった。
【０００９】
【発明が解決しようとする課題】
本発明は、このような従来技術の有する課題に鑑みてなされたものであり、その目的とするところは、処分やリサイクルの容易な板紙や段ボール紙等のシート状材料を主材とし、包装作業が容易であるとともに、構成要素が必要最小限であるため、工程が簡単で、安価である包装体を提供することにある。
【００１０】
【課題を解決するための手段】
すなわち、本発明によれば、被包装物を載置する底面板と、前記底面板の対向する端部に配設された２枚の端壁板と、前記底面板の対向する側部に配設された２枚の側壁板と、前記底面板上を覆うように、前記端壁板間に取付けられた弾性シートとを有し、箱に収容されて用いられる包装体であって、前記端壁板が、前記底面板の裏面側に向けて回動可能な構造を有し、前記端壁板が回動することによって、前記弾性シートに前記被包装物を押圧する張力を与え前記被包装物を前記底面板と前記弾性シートとの間に挟持するとともに、前記端壁板及び／又は前記側壁板で前記箱の壁との間に介在する形状を与え前記被包装物を前記箱の壁から離した状態で保持することを特徴とする包装体が提供される。
このとき、前記底面板は、前記端壁板と前記側壁板とで包囲されていることが好ましい。
【００１１】
また、本発明では、前記底面板、前記端壁板及び前記側壁板が、一枚のシート状材料で製造されてなることが好ましい。
このとき、前記シート状材料は、厚紙、段ボール紙、プラスチックシート、発泡プラスチックシート、気泡ボード及びプラスチック段ボールのうちのいずれか１つであることが好ましい。
【００１２】
尚、本発明では、前記弾性シートが、ポリウレタン系熱可塑性エラストマー、ポリアミド、エチレン−酢酸ビニル共重合体、シングルサイト触媒重合ポリオレフィン、ポリブチレンサクシネート及びポリブチレンサクシネート・アジペートのうちのいずれか１つの材質からなることが好ましい。
【００１３】
【発明の実施の形態】
以下、本発明の実施の形態を図面に基づいて更に詳細に説明する。
図１は、本発明の包装体の好適な実施形態の一例を示す分解斜視図、図２は、本発明の包装体の一例を示す斜視図、図３は、図２のブランクの形状を示す展開図である。
本発明の包装体の好適な実施形態の一例は、図１に示すように、被包装物４０を載置する底面板１と、底面板１の対向する端部に配設された２枚の端壁板２，２と、底面板１の対向する側部に配設された２枚の側壁板３，３と、底面板１上を覆うように、端壁板２，２間に取付けられた弾性シート３０とを有し、箱７０に収容されて用いられる包装体１０であって、端壁板２，２が、底面板１の裏面側に向けて回動可能な構造を有し、端壁板２，２が回動することによって、弾性シート３０に被包装物４０を押圧する張力を与え、被包装物４０を底面板１と弾性シート３０との間に挟持するとともに、端壁板２，２及び側壁板３，３で箱７０の壁との間に介在する形状を与え被包装物４０を箱７０の壁から離した状態で保持するものである。
【００１４】
このとき、包装体１０は、図１に示すように、底面板１と弾性シート３０との間に被包装物４０を収容した後、図２の矢印▲１▼に示すように、端壁板２，２を底面板１の裏側に回動させることにより、弾性シート３０に張力を与え、被包装物４０を底面板１と弾性シート３０で挟持する。
尚、包装体１０は、図２に示すように、連結された端壁板２，２及び側壁板３，３により、底面板１を箱７０の壁から離した状態で保持する脚部が形成されているが、特にこれに限定される訳ではなく、例えば、端壁板２，２又は側壁板３，３だけで脚部を形成してもよい。
【００１５】
また、包装体１０は、図３に示すように、一枚のシート状材料で形成されたブランクを組み立てたものが使用される。
ここで、図３に示すブランクは、被包装物４０を載置する底面板１と、底面板１の対向する端部に配設された２つの端壁板２，２と、底面板１の対向する側部に配設された２つの側壁板３，３とを有し、更に、上記端壁板２，２の両端には、結合片６が、側壁板３，３の両端には、結合片６を受容する結合部８が配設されている。
【００１６】
ブランクの組立は、まず、底面板１の表面を覆うように、端壁板２，２間に、弾性シート３０を取付けた後（図２参照）、すべての折れ線において内折りにし、その際、それぞれの結合部８に結合片６を接着・連結することにより、図２に示す（略直方体の外面［底面板１の表面］に弾性シート３０が配設された）包装体１０が形成される。
尚、包装体１０は、特に、被包装物がそれほど重くない場合、結合部８の代わりに、スリットを設け、且つ結合片６の代わりに、スリットにはめ込んで固定する係合突起にすることが、接着剤やステープルを使用することなく、簡便に組み立てることができるため、より好ましい。
【００１７】
また、本発明の包装体の好適な実施形態の他の例は、図４〜５に示すように、被包装物４０を載置する底面板１と、底面板１の対向する端部に配設された２枚の端壁板２，２と、底面板１の対向する側部に配設された２枚の側壁板３，３と、底面板１上を覆うように、端壁板２，２間に取付けられた弾性シート３０とを有し、箱７０に収容されて用いられる包装体２０であって、端壁板２，２が、底面板１の裏面側に向けて回動可能な構造を有し、端壁板２，２が回動することによって、被包装物４０を押圧する張力を与え被包装物４０を底面板１と弾性シート３０との間に挟持するとともに、端壁板２，２及び端壁板２，２から伸びた末端壁板４で箱７０の壁との間に介在する形状を与え被包装物４０を箱７０の壁から離した状態で保持するものである。
【００１８】
ここで、包装体２０は、図６に示すように、底面板１と弾性シート３０との間に被包装物４０を収容した後、矢印▲１▼に示すように、側壁板３，３を底面板１の表面側に回動させることにより、底面板１の側面側の弾性シート３０を側壁板３，３で把持した後、矢印▲２▼に示すように、端壁板２，２を底面板１の裏面側に回動させることにより、弾性シート３０に張力を与え、被包装物４０を底面板１と弾性シート３０で挟持する。
これにより、包装体２０は、図４〜５に示すように、箱７０に収容する際、底面板１の側面側の弾性シート３０を側壁板３，３で把持することができるため、被包装体４０の離脱を確実に防止することができる。
【００１９】
また、包装体２０は、図６に示すように、底面板１が端壁板２，２と側壁板３，３とで包囲されていることが好ましい。
これは、底面板１と弾性シート３０との間に、被包装物４０を挿入する際、底面板１から被包装物４０がこぼれ落ちたりすることがないため、例えば、断面が略円状の被包装物４０であっても容易に包装することができるからである。
【００２０】
更に、包装体２０は、図７に示すように、一枚のシート状材料で形成されたブランクを組み立てたものが使用される。
ここで、図７に示すブランクは、被包装物４０を載置する底面板１と、底面板１の対向する端部に配設された２つの端壁板２，２と、端壁板２，２から伸びた末端壁部４，４と、底面板１の対向する側部に配設された２つの側壁板３，３とを有し、更に、末端壁板４，４の両端には、結合片６が、端壁板３，３の両端には、結合片６を受容する結合部８が配設されている。
【００２１】
ブランクの組立は、まず、底面板１の裏面を覆うように、末端壁板４，４間に、弾性シート３０を取付けた後（図６参照）、すべての折れ線において内折りにし、その際、それぞれの結合部８に結合片６を接着・連結することにより、図６に示す（略直方体の内面［底面板１の表面］に弾性シート３０が配設された）包装体２０が形成される。
尚、包装体２０は、特に、被包装物がそれほど重くない場合、上記結合部８の代わりに、スリットを設け、且つ上記結合片６の代わりに、スリットにはめ込んで固定する係合突起にすることが、接着剤やステープルを使用することなく、簡便に組み立てることができるため、より好ましい。
【００２２】
以上のことから、本発明の包装体は、処分やリサイクルの容易な板紙や段ボール紙等のシート状材料を主材とし、包装時に被包装物を、従来の緩衝材（例えば、発泡ポリスチロール）を用いることなく、箱へ収容することが容易であるとともに、図８及び図９に示す包装体と比較して、構成要素を必要最小限度にすることができるため、工程が簡単で、安価にすることができる。
【００２３】
尚、本発明では、底面板、端壁板及び側壁板が、一枚のシート状材料で製造されてなることが好ましい。
シート状材料は、厚紙、段ボール紙、プラスチックシート、発泡プラスチックシート、気泡ボード及びプラスチック段ボールから選んだものが適当である。
ここで、プラスチック段ボールは、例えば、ポリプロピレン（ＰＰ）を主原料とするプラスチック段ボールであることが好ましい。
また、気泡ボードは、特に限定されないが、例えば、ポリプロピレン（ＰＰ）又は高密度ポリエチレン（ＰＥ）を主原料とする気泡ボード（プラパール）であることが好ましい。
【００２４】
弾性シートは、ポリウレタン系熱可塑性エラストマー、ポリアミド、エチレン−酢酸ビニル共重合体、シングルサイト触媒重合ポリオレフィン、ポリブチレンサクシネート及びポリブチレンサクシネート・アジペートのいずれか１つの材質からなることが好ましい。
その他に、天然ゴム又は各種ゴムまたは各種合成ゴム、ポリエチレン、塩素化ポリエチレンあるいはフッ素樹脂等のシートも使用できる。
これらの材料は、用途によっては、その特性に応じて、電子線照射による架橋や延伸によって強度を高めることが好ましい。
形態は、シートないしフィルムに限定されることなく、ネットであってもよく、本発明で「シート」の語は、ネットをも包含する意味で用いている。
【００２５】
また、弾性シートは、一般に平坦なシートが使用されているが、特に限定されるものでなく、エンボス成形シートを使用することが可能である。
このとき、エンボス成形シートを弾性シートとして用いた場合、被包装物の形状に対する追従が容易になり、緩衝保持能力を高めることができる。
尚、エンボス成形シートとは、プラスチックフィルムにエンボス加工を施して多数の突起を形成したもの、またはこの突起を有するプラスチックフィルムの一方または両方の面に平坦なプラスチックフィルムを貼り合わせたものである。
【００２６】
【発明の効果】
以上説明した通り、本発明の包装体は、処分やリサイクルの容易な板紙や段ボール紙等のシート状材料を主材とし、包装作業が容易であるとともに、構成要素が必要最小限であるため、工程が簡単で、安価である。
【図面の簡単な説明】
【図１】本発明の包装体の好適な実施形態の一例を示す分解斜視図である。
【図２】本発明の包装体の一例を示す斜視図である。
【図３】図２に示す包装体のブランクの形状を示す展開図である。
【図４】本発明の包装体の好適な実施形態の他の例を示す分解斜視図である。
【図５】図４のＡ−Ａ断面図である。
【図６】本発明の包装体の他の例を示す斜視図である。
【図７】図６に示す包装体のブランクの形状を示す展開図である。
【図８】従来の包装体の一例を示す分解斜視図である。
【図９】図８に示す包装体の縦断面図である。
【符号の説明】
１…底面板、
２…端壁板、
３…側壁板、
４…末端壁板、
６…結合片、
８…結合部、
１０，２０…包装体、
３０…弾性シート、
４０…被包装物、
５０，５２…支持体、
６０，７０…箱。
【図１】
2004175429.tif 000003
【図２】
2004175429.tif 000004
【図３】
2004175429.tif 000005
【図４】
2004175429.tif 000006
【図５】
2004175429.tif 000007
【図６】
2004175429.tif 000008
【図７】
2004175429.tif 000009
【図８】
2004175429.tif 000010
【図９】
2004175429.tif 000011